(57)【要約】      （修正有）【課題】人体の皮膚に貼着しやすい皺伸ばしテープを提供する。【解決手段】皺伸ばしテープ８０は、テープ本体部４０が伸縮性を有するため、テープ本体部４０の一端（先貼着側）を貼着した後、延伸し、他端（後貼着側）を貼着することで、テープ本体部４０の弾性力により皮膚の皺伸ばしを行うことができる。このため、予め使用者が皮膚を伸ばす必要がなく、皺伸ばしテープ８０の貼着のみで皺伸ばしを行うことができる。また、皺伸ばしテープ８０は、テープ本体部４０の両端間で切断されたカバーフィルム３６ａ、３６ｂを備えている。このカバーフィルム３６ａ、３６ｂはテープ本体部４０の先貼着部、後貼着部を貼着が完了するまで担持し、その変形を抑制する。これにより、皮膚への貼着を容易かつ確実に行うことができる。【選択図】図１
0003194879.tif 000002
【実用新案登録請求の範囲】
【請求項１】
ポリウレタン系のフィルムからなり伸縮性を有する基材層と、
アクリル系の粘着剤からなり前記基材層の一面に形成された粘着材層と、
前記粘着材層に剥離可能に設けられた剥離紙と、
前記基材層の他方の面に剥離可能に設けられたカバーフィルムと、を有し、
前記粘着材層の一端を人体の皮膚に貼着した後、前記基材層を延伸し、延伸した状態を維持したまま前記粘着材層の他端を人体の皮膚に貼着することで、前記基材層の弾性力によって皮膚を引っ張り、皺を目立たなくすることを特徴とする皺伸ばしテープ。
【請求項２】
カバーフィルムは両端間で切断されており、基材層の延伸時に互いに離間することを特徴とする請求項１記載の皺伸ばしテープ。
【請求項３】
基材層の厚さが２０μｍ〜４０μｍであり、
粘着材層の厚さが２０μｍ〜４０μｍであり、
前記基材層と前記粘着材層とからなるテープ本体部の厚さが５０μｍ〜７０μｍであり、
前記テープ本体部の最大伸び率が１０００％〜１１００％であり、
前記テープ本体部の透湿度が１２００ｇ/ｍ２・２４ｈ〜１５００ｇ/ｍ２・２４ｈであることを特徴とする請求項１または請求項２記載の皺伸ばしテープ。
【請求項４】
剥離紙が本体剥離紙と端部剥離紙とで構成され、
前記端部剥離紙は本体剥離紙から突出するとともに本体剥離紙から分離して形成されることを特徴とする請求項１乃至請求項３のいずれかに記載の皺伸ばしテープ。
【考案の詳細な説明】
【技術分野】
【０００１】
本考案は、人体に貼着して皺を目立たなくする皺伸ばしテープに関するものである。
【背景技術】
【０００２】
人体に貼着して皺を目立たなくする皺伸ばしテープとして例えば［特許文献１］に記載の発明が開示されている。
【先行技術文献】
【特許文献】
【０００３】
【特許文献１】特開２００１−１１３９９号公報
【考案の概要】
【考案が解決しようとする課題】
【０００４】
しかしながら、従来の皺伸ばしテープはテープ本体部の伸縮性が乏しいため、使用者が皮膚を指で引っ張り、その状態を維持したまま皺伸ばしテープを貼る必要があり、貼着しにくいという問題点があった。
【０００５】
本考案は上記事情に鑑みてなされたものであり、人体の皮膚に貼着しやすい皺伸ばしテープを提供することを目的とする。
【課題を解決するための手段】
【０００６】
本考案は、
（１）ポリウレタン系のフィルムからなり伸縮性を有する基材層３０と、
アクリル系の粘着剤からなり前記基材層３０の一面に形成された粘着材層３２と、
前記粘着材層３２に剥離可能に設けられた剥離紙３４と、
前記基材層３０の他方の面に剥離可能に設けられたカバーフィルム３６と、を有し、
前記粘着材層３２の一端を人体の皮膚Ｙに貼着した後、前記基材層３０を延伸し、延伸した状態を維持したまま前記粘着材層３２の他端を人体の皮膚Ｙに貼着することで、前記基材層３０の弾性力によって皮膚Ｙを引っ張り、皺を目立たなくすることを特徴とする皺伸ばしテープ８０を提供することにより、上記課題を解決する。
（２）カバーフィルム３６（３６ａ、３６ｂ）は両端間で切断されており、基材層３０の延伸時に互いに離間することを特徴とする上記（１）記載の皺伸ばしテープ８０を提供することにより、上記課題を解決する。
（３）基材層３０の厚さが２０μｍ〜４０μｍであり、
粘着材層３２の厚さが２０μｍ〜４０μｍであり、
前記基材層３０と前記粘着材層３２とからなるテープ本体部４０の厚さが５０μｍ〜７０μｍであり、
前記テープ本体部４０の最大伸び率が１０００％〜１１００％であり、
前記テープ本体部４０の透湿度が１２００ｇ/ｍ２・２４ｈ〜１５００ｇ/ｍ２・２４ｈであることを特徴とする上記（１）または（２）記載の皺伸ばしテープ８０を提供することにより、上記課題を解決する。
（４）剥離紙３４が本体剥離紙３４ａと端部剥離紙３４ｂとで構成され、
前記端部剥離紙３４ｂは本体剥離紙３４ａから突出するとともに本体剥離紙３４ａから分離して形成されることを特徴とする上記（１）乃至（３）のいずれかに記載の皺伸ばしテープ８０を提供することにより、上記課題を解決する。
【考案の効果】
【０００７】
本考案に係る皺伸ばしテープは、テープ本体部が伸縮性を有するため、人体の皮膚に容易に貼着することができる。
【図面の簡単な説明】
【０００８】
【図１】本考案に係る皺伸ばしテープの層構成を示す側面図である。
【図２】本考案に係る皺伸ばしテープの平面図である。
【図３】本考案に係る皺伸ばしテープの平面図である。
【図４】本考案に係る皺伸ばしテープの貼着方法を説明する図である。
【考案を実施するための形態】
【０００９】
本考案に係る皺伸ばしテープ８０の実施の形態について図面に基づいて説明する。ここで、図１は本考案に係る皺伸ばしテープ８０の層構成を示す側面図である。また、図２は本考案に係る皺伸ばしテープ８０の平面図である。図１に示す本考案に係る皺伸ばしテープ８０は、基材層３０と、この基材層３０の一面に形成された粘着材層３２と、この粘着材層３２に剥離可能に設けられた剥離紙３４（本体剥離紙３４ａ、端部剥離紙３４ｂ）と、基材層３０の他面に剥離可能に設けられたカバーフィルム３６（３６ａ、３６ｂ）と、を有している。そして、この基材層３０と粘着材層３２とが使用者の皮膚に貼着する皺伸ばしテープ８０のテープ本体部４０となる。
【００１０】
皺伸ばしテープ８０の基材層３０は、伸縮性を有するポリウレタン系のフィルムからなり、その厚さは２０μｍ〜４０μｍ、好適には３０μｍ±５μｍ程度とすることが好ましい。また、粘着材層３２は人体の皮膚に使用しても害のないアクリル系の粘着剤を用い、その厚さは２０μｍ〜４０μｍ、好適には３０μｍ±５μｍ程度とすることが好ましい。尚、基材層３０と粘着材層３２とを合わせたテープ本体部４０の層厚は薄い方が好ましいが、過度に薄いとハンドリングに困難が生じ却って貼着しにくい場合がある。よって、テープ本体部４０の層厚は５０μｍ〜７０μｍ、好適には６０μｍ±５μｍ程度とすることが好ましい。また、テープ本体部４０は伸縮性を有する基材層３０で主に構成されるため、基材層３０と同等の伸縮性を有し、その最大伸び率は１０００％〜１１００％、好適には１０３０％前後とすることが好ましい。また、皮膚面の蒸れを防止するため、テープ本体部４０は透湿性を有することが好ましく、その透湿度は１２００ｇ/ｍ２・２４ｈ〜１５００ｇ/ｍ２・２４ｈ、好適には１３００ｇ/ｍ２・２４ｈ前後とすることが好ましい。また、テープ本体部４０の粘着力、即ち粘着材層３２の粘着力は０．４Ｎ／１０ｍｍ幅〜０．６Ｎ／１０ｍｍ幅、好適には０．５Ｎ／１０ｍｍ幅前後とすることが好ましい。さらに、テープ本体部４０の引張強度は１８Ｎ／２０ｍｍ幅〜２０Ｎ／２０ｍｍ幅、好適には１９Ｎ／２０ｍｍ幅前後とすることが好ましい。
【００１１】
カバーフィルム３６はテープ本体部４０を保護するとともにテープ本体部４０のハンドリング性を向上させる機能を有し、テープ本体部４０の基材層３０に剥離可能に設置されている。尚、カバーフィルム３６のテープ本体部４０（基材層３０）からの剥離強度は１８０ｍＮ／２０ｍｍ幅前後とすることが好ましい。このカバーフィルム３６としては例えば所定の厚さのポリプロピレンフィルムが用いられる。尚、カバーフィルム３６には幅方向に横断した切り込み３８が形成されており、カバーフィルム３６はこの切り込み３８によってカバーフィルム３６ａ、３６ｂに切断されている。この切り込み３８の位置はテープ本体部４０の両端の間であれば特に限定はなく、図２（ａ）に示すように、テープ本体部４０の略中央位置でも良いし、図２（ｂ）に示すように、先に貼着する先貼着端側（カバーフィルム３６ａ側）寄りでも良い。また、図２（ｃ）に示すように、後に貼着する後貼着端側（カバーフィルム３６ｂ側）寄りでも良い。尚、カバーフィルム３６の表面には、例えば貼着順序を示す表示３９を印刷しても良い。ここでは、カバーフィルム３６ａ、３６ｂの表示３９として、貼着順序を示す数字と延伸方向を示す矢印を印刷した例を示している。
【００１２】
剥離紙３４は、テープ本体部４０の担体であり、少なくとも一面がシリコン等で離形処理された周知の紙もしくは合成樹脂フィルムを用いることができる。尚、剥離紙３４は図２に示すように、１つのテープ本体部４０ごとに設けても良いし、図３に示すように、１枚の剥離紙３４に複数のテープ本体部４０を設置しても良い。尚、図３（ａ）は皺伸ばしテープ８０をカバーフィルム３６側から見た図である。また、図３（ｂ）は皺伸ばしテープ８０を裏面（剥離紙３４側）から見た図である。
【００１３】
また、剥離紙３４は、図３（ｂ）に示すように、切り込み３５によって切断された端部剥離紙３４ｂと、本体剥離紙３４ａとで構成することが好ましい。この構成では、端部剥離紙３４ｂがテープ本体部４０の後貼着側（カバーフィルム３６ｂ側）の端部を担持し、本体剥離紙３４ａがテープ本体部４０のその他の部分を担持する。また、本体剥離紙３４ａはテープ本体部４０よりも大きく周囲に余白を有した台紙状とし、端部剥離紙３４ｂはテープ本体部４０の縁で切断された余白を有さない形状とすることが好ましい。尚、この形態では端部剥離紙３４ｂは本体剥離紙３４ａから見て突出した形状を呈する。
【００１４】
次に、本考案に係る皺伸ばしテープ８０の使用方法を図４を用いて説明する。先ず、使用者はカバーフィルム３６ｂと端部剥離紙３４ｂとを挟持してテープ本体部４０を本体剥離紙３４ａから剥離する（図４（ａ））。この際、本考案に係る皺伸ばしテープ８０の剥離紙３４は、端部剥離紙３４ｂが本体剥離紙３４ａから突出し且つ分離しているため、使用者はカバーフィルム３６ｂと端部剥離紙３４ｂとを摘まんで本体剥離紙３４ａから容易に剥離することができる。この際、粘着材層３２は端部剥離紙３４ｂで保護されているため、使用者の指が粘着材層３２に接触せず粘着材層３２の粘着力が劣化することもない。
【００１５】
次に、図４（ｂ）に示すように、テープ本体部４０の粘着材層３２の一端、即ち先貼着側であるカバーフィルム３６ａ側の一端を人体の皮膚Ｙに貼着する。この際、テープ本体部４０の先貼着部はカバーフィルム３６ａで担持されているため貼着時に皺や捩れが生じることはない。
【００１６】
次に、図４（ｃ）に示すように、テープ本体部４０を延伸する。このとき、カバーフィルム３６ａ、３６ｂは切り込み３８で分離して、一方のカバーフィルム３６ａは先貼着側に留まり、他方のカバーフィルム３６ｂはテープ本体部４０の後貼着側とともに移動する。これにより、カバーフィルム３６ａ、３６ｂは互いに離間する。尚、このときテープ本体部４０の他端（後貼着端）は、使用者がカバーフィルム３６ｂと端部剥離紙３４ｂとで挟持しているため延伸、変形せず、次ステップにおける皮膚Ｙへの貼着を容易かつ確実に行うことができる。
【００１７】
次に、使用者は端部剥離紙３４ｂを剥離するとともに、図４（ｄ）に示すように、延伸した状態を維持したままテープ本体部４０の後貼着側を人体の皮膚Ｙに貼着する。尚、このとき後貼着側を反り返らせ端部剥離紙３４ｂを剥離しながら徐々に皮膚Ｙに貼着することで、端部剥離紙３４ｂの剥離とテープ本体部４０の貼着とを片手で容易に行うことができる。
【００１８】
次に、使用者はテープ本体部４０を離す。これにより、テープ本体部４０の両端は、基材層３０の弾性力により図４（ｅ）中の矢印の方向に引っ張られ、これに伴いテープ本体部４０の両端に貼着した皮膚Ｙも引っ張られる。これにより、引っ張られた側の皮膚Ｙの皺が伸ばされる。次に、カバーフィルム３６ａ、３６ｂをテープ本体部４０から剥離する。これにより、テープ本体部４０の貼着が完了する。
【００１９】
以上のように、本考案に係る皺伸ばしテープ８０は、テープ本体部４０が伸縮性を有するため、テープ本体部４０の一端（先貼着側）を貼着した後、延伸し、他端（後貼着側）を貼着することで、テープ本体部４０の弾性力により皮膚Ｙの皺伸ばしを行うことができる。このため、予め使用者が皮膚を伸ばす必要がなく、皺伸ばしテープ８０の貼着のみで皺伸ばしを行うことができる。また、本考案に係る皺伸ばしテープ８０は、テープ本体部４０の両端間で切断されたカバーフィルム３６ａ、３６ｂを備えている。このカバーフィルム３６ａ、３６ｂはテープ本体部４０の先貼着部、後貼着部を貼着が完了するまで担持し、その変形を抑制する。これにより、皮膚Ｙへの貼着を容易かつ確実に行うことができる。また更に、本考案に係る皺伸ばしテープ８０は、剥離紙３４が本体剥離紙３４ａと端部剥離紙３４ｂとに分断している。そして、使用者は端部剥離紙３４ｂ側を持って先貼着部の貼着を行うことで、後貼着部の粘着力の低下を抑制することができる。これらのことにより、本考案に係る皺伸ばしテープ８０は、使用者の皮膚Ｙへの貼着と皺伸ばしを極めて容易に行うことができる。
【００２０】
尚、本例で示した皺伸ばしテープ８０の各部の形状、印刷表示３９、層構成、材質等は一例であり、本考案は本考案の要旨を逸脱しない範囲で変更して実施することが可能である。
【符号の説明】
【００２１】
３０    基材層
３２    粘着材層
３４    剥離紙
３４ａ  本体剥離紙
３４ｂ  端部剥離紙
３６、３６ａ、３６ｂ  カバーフィルム
４０    テープ本体部
８０    皺伸ばしテープ
【図１】
0003194879.tif 000003
【図２】
0003194879.tif 000004
【図３】
0003194879.tif 000005
【図４】
0003194879.tif 000006